(57)【要約】【課題】配電盤制御回路のような箇所に使用される絶縁被覆が施された電線の複数本の結束はビニールテープ、結束バンド、結束紐のような結束具が用いられる。これらを使用した場合、結束作業、解除作業ともに悪く、再使用できない。また、ＥＭ電線（Eco Material Cable）は絶縁被覆が  弱であるため、電線を保護するシートで包んで結束する必要があり、作業性が悪く、コストも高いものとなっていた。【解決手段】伸縮性と軟性を有し電線を保護する結束シートと、この結束シートの一方側に設けた凹状の第１係合部と、結束シートの他方側に設けられ、第１係合部の凹状部と着脱可能に係合する凸状の第２係合部とを備えたことにより、電線の結束を容易且つ再使用することができる電線結束具を得るようにしたものである。【選択図】図１
2009280234.tif 000002
【特許請求の範囲】
【請求項１】
絶縁被覆が施された電線を結束する電線結束具において、伸縮性と軟性を有し上記電線を保護する結束シートと、上記結束シートの一方側に設けられた凹状の第１係合部と、上記結束シートの他方側に設けられ、上記第１係合部の凹状部と着脱可能に係合する凸状の第２係合部とを備えたことを特徴とする電線結束具。
【請求項２】
上記第１係合部の凹状部は円形状穴で構成され、上記第２係合部の凸状部は円錐状突起で構成されたことを特徴とする請求項１記載の電線結束具。
【請求項３】
上記第１係合部の凹状部はダルマ状穴で構成され、上記第２係合部のダルマ状穴の大穴状部に係合される円錐状突起部と上記ダルマ状穴の小穴状部に係合される突起部とにより構成されたことを特徴とする請求項１記載の電線結束具。
【請求項４】
上記第１係合部の凹状部はメス式ボタンで構成され、上記第２係合部の凸状部はオス式ボタンで構成されたことを特徴とする請求項１記載の電線結束具。
【請求項５】
上記第１係合部が複数設けられ、上記電線の結束数に応じた位置の上記第１係合部に上記第２係合部を係合するようにしたことを特徴とする請求項１〜４の何れかに記載の電線結束具。
【請求項６】
絶縁被覆が施された電線を結束する電線結束具において、伸縮性と軟性を有し上記電線を保護する結束シートと、上記結束シートの一方側に設けられた第１係合部と、上記結束シートの他方側に設けられた上記第１係合部と同じ構成の第２係合部とを備え、上記両係合部を締結具によって結束するようにしたことを特徴とする電線結束具。
【請求項７】
上記結束シートに設けた上記第１係合部の周囲の厚みを上記第１係合部の周囲以外の上記結束シートの厚みより厚くした補強部を設けたことを特徴とする請求項１〜６の何れかに記載の電線結束具。
【請求項８】
上記結束シートの上記電線と接触しない側に外傷を防止する保護シートを設けたことを特徴とする請求項１〜７の何れかに記載の電線結束具。
【請求項９】
上記結束シートと上記保護シートは一体に形成されたことを特徴とする請求項１〜８の何れかに記載の電線結束具。
【請求項１０】
上記結束シートの上記電線と接触する面が波型形状に構成されたことを特徴とする請求項１〜９の何れかに記載の電線結束具。
【請求項１１】
絶縁被覆が施された電線を結束する電線結束具において、上記電線と接触しない側に外傷を防止する保護シートと、上記保護シートの上記電線側の面に保護毛材を設けたことを特徴とする電線結束具。
【請求項１２】
上記結束シートはゴム系素材からなることを特徴とする請求項１〜１０の何れかに記載の電線結束具。
【請求項１３】
上記結束シートは発泡素材からなることを特徴とする請求項１〜１０の何れかに記載の電線結束具。
【請求項１４】
上記結束シートは環境性の良い材料からなることを特徴とする請求項１〜１０の何れかに記載の電線結束具。
【請求項１５】
上記環境性の良い材料は難燃性エチレンゴムからなることを特徴とする請求項１４記載の電線結束具。
【請求項１６】
上記保護シートはゴム系素材からなることを特徴とする請求項１〜１５の何れかに記載の電線結束具。
【請求項１７】
上記保護シートは発泡素材からなることを特徴とする請求項１〜１５の何れかに記載の電線結束具。
【請求項１８】
上記保護シートは環境性の良い材料からなることを特徴とする請求項１〜１５の何れかに記載の電線結束具。
【請求項１９】
上記環境性の良い材料は難燃性エチレンゴムからなることを特徴とする請求項１８記載の電線結束具。
【発明の詳細な説明】
【技術分野】
【０００１】
この発明は、配電盤制御回路のような箇所に使用される絶縁被覆が施された電線を結束する電線結束具に関するものである。
【背景技術】
【０００２】
従来の電線結束具においては、電線を安全、且つ確実に結束し、容易に解除できる結束具や従来方法が存在している。
【０００３】
【特許文献１】特開２００２−２７００４９号公報
【特許文献２】特開平１１−１２７５２９号公報
【特許文献３】特開平８−２１４９１７号公報
【特許文献４】特開平１１−８９０５７号公報
【発明の開示】
【発明が解決しようとする課題】
【０００４】
上述した従来技術において、配電盤制御回路のような箇所に使用される絶縁被覆が施された電線の複数本の結束は、ビニールテープ、結束バンド、結束紐のような結束具が用いられる。ビニールテープを使用している場合は、複数本の電線を結束するときはビニールテープを巻着する必要があり結束作業性が悪く、電線の結束を解除するには巻着したビニールテープを取り除く必要があり解除作業性が悪く、しかもビニールテープを解除した際にビニールテープの粘着物が電線に付着して残り、ごみが付着したりして外観上も悪い状態となっている。また、ビニールテープは再使用することができず、ビニールテープを廃棄すると、環境上の問題が発生することになる。結束紐を使用している場合は、電線の結束、解除などの敷設作業性が悪いものとなっている。結束バンドを使用して取り外しができないようにしている場合は、電線を解除するときニッパーやカッターなどにより結束バンドを切断しており、結束バンドを再使用することができない問題がある。
【０００５】
また、近年、各分野への使用量が増加しているＥＭ電線（Eco Material Cable）は絶縁被覆が脆弱なものとなっており、電線の結束時に電線の絶縁被覆に傷が付き易く、傷が付いた絶縁被覆に裂傷が生じ、絶縁被覆内の電線の素線が露出し、漏電事故や短絡事故を起こす可能性がある。それらを防止するために、ＥＭ電線の結束時には電線を保護シートで包み、その上から結束具を用いて複数の電線を結束するようにしており、電線の結束や解除の作業性が悪く、コストも高くなっていた。
【０００６】
この発明は、上述した課題を解決するためになされたものであり、電線の結束を容易に且つ再使用することができ、また、環境性に優れた電線結束具を提供することを目的とする。
【課題を解決するための手段】
【０００７】
この発明は、伸縮性と軟性を有し電線を保護する結束シートと、この結束シートの一方側に設けられた凹状の第１係合部と、結束シートの他方側に設けられ、第１係合部の凹状部と着脱可能に係合する凸状の第２係合部とを備えたことにより、電線の結束を容易に且つ再使用することができるものである。
【０００８】
また、結束シートを環境性の良い材料からなるものとすることにより、環境性を配慮した電線結束具を得ることができるものである。
【発明の効果】
【０００９】
この発明の電線結束具によれば、結束シートにより電線を保護するとともに、結束シートの一方側の第１係合部に結束シートの他方側の第２係合部を着脱可能に係合するようにしたので、電線結束具を再使用することができる。
【００１０】
また、結束シートを環境性の良い材料としたことにより、環境性を配慮した電線結束具を得ることができる。
【発明を実施するための最良の形態】
【００１１】
実施の形態１．
この発明の実施の形態１を図１〜図３に基づいて説明する。１は伸縮性と軟性を有し、結束する複数本の電線５の絶縁被覆を保護して結束するための結束シート、２は結束シート１の一方側１ａに設けられた凹状の第１係合部であり、図は一例として、凹状部は円形状穴で構成されている。３は結束シート１の他方側１ｂに設けられ、第１係合部２の凹状部、即ち、円形状穴と着脱可能に係合する凸状の第２係合部であり、図は一例として、凸状部は円錐状突起部３ａで構成されている。また、円錐状突起部３ａの結束シート１の他方側１ｂ部は円錐底部の外径より小径の突起部３ｂに形成されている。４は結束シート１の一方側１ａに設けた第１係合部２の円形状穴の周囲の厚みを第１係合部２の円形状穴の周囲以外の結束シート１の一方側１ａの厚みより厚くした補強部であり、第１係合部２の円形状穴の裂断を防止する。
【００１２】
次に動作について説明する。結束シート１は伸縮性と軟性を有する例えば、天然ゴム、発泡素材（ポリウレタン系、ポレウレフィン系、スポンジ、アクリル系など）、合成ゴム（スチレン系、塩ビ系、オレフィン系、ウレタン系、ポリエステル系、ニトリル系、ポリアミド系、フッ素系、塩素化ポリエチレン、ポリブタジエン系、シリコン系、ブタジエン・アクリルニトリル系、クロロプレン系など）等々で形成され、図３に示すように、複数本の電線５を結束シート１により束ねるように巻回し、結束シート１の一方側１ａに設けた円形状穴からなる第１係合部２に結束シート１の他方側１ｂに設けた円錐状突起部３aからなる第２係合部３を係合させて複数本の電線５を結束する。第２係合部３は円錐状突起部３ａであり、第１係合部２の円形状穴に挿入し易くなっている。また、第２係合部３の円錐状突起部３ａの円錐底部の外径の寸法が第１係合部２の円形状穴の穴径より僅かに大きく構成され、第２係合部３が第１係合部２から抜け出ないようになっていると共に、第２係合部３を第１係合部２から取り外せるように構成している。そして、結束シート１の伸縮性により、電線５の結束数に許容範囲を持たせることができると共に、結束シート１の軟性により、電線５の絶縁被覆に傷を付けることなく結束でき、絶縁被覆が脆弱なＥＭ電線などには特に有効である。
【００１３】
以上のように、結束シート１は第１係合部２と第２係合部３とを着脱可能に構成したことにより再使用することができ、省資源化を図ることができる電線結束具を得ることができる。
【００１４】
また、結束シート１としては、焼却や埋設しても、塩素ガスやダイオキシンの発生しないハロゲンや鉛を含まない難燃性エチレンゴムなどの素材により構成することにより、環境性に優れた電線結束具を得ることができる。
【００１５】
また、図２は図１のII−II線における断面図であり、結束シート１の一方側１ａに設けた第１係合部２の円形状穴の周囲の厚みを第１係合部２の円形状穴の周囲以外の結束シート１の一方側１ａの厚みより厚くした補強部４を設けたことにより、第１係合部２の円形状穴の裂断を防止することができ、より一層強固な電線結束具を得ることができる。
【００１６】
更に、図４は結束シート１を図３の状態と表裏反対として使用した場合を示し、複数本の電線５に対して結束シート１の密着度がさらに高くなり、複数本の電線５をより一層強力に結束することができる電線結束具を得ることができる。
【００１７】
実施の形態２．
この発明の実施の形態２を図５および図６に基づいて説明する。１は結束シート、１ａは結束シート１の一方側、１ｂは結束シート１の他方側、３は第２係合部、３ａは第２係合部３の円錐状突起部、３ｂは円錐状突起部３ａの円錐底部の外径より小径の突起部、６は結束シート１の一方側１ａに設けられた凹状の第１係合部であり、凹状部はダルマ状穴で構成され、第１係合部６のダルマ状穴の大穴状部６ａに第２係合部３の円錐状突起部３ａが係合され、第１係合部６のダルマ状穴の小穴状部６ｂに第２係合部３の小径の突起部３ｂが係合される。７は結束シート１の一方側１ａに設けた第１係合部６のダルマ状穴の周囲の厚みを第１係合部６のダルマ状穴の周囲以外の結束シート１の一方側１ａの厚みより厚くした補強部であり、第１係合部６のダルマ状穴の裂断を防止する。
【００１８】
次に動作について説明する。図６に示すように、複数本の電線５を結束シート１により束ねるように巻回し、結束シート１の一方側１ａに設けたダルマ状穴からなる第１係合部６の大穴状部６ａに結束シート１の他方側１ｂに設けた第２係合部３の円錐状突起部３ａを挿入して係合させる。そして、第１係合部６の小穴状部６ｂに第２係合部３の小径の突起部３ｂを係合させることにより、第２係合部３が第１係合部６から抜け出るのを確実に防止することができる。
【００１９】
また、第１係合部６と第２係合部３との係合を解除する場合、第２係合部３の小径の突起部３ｂを第１係合部６の大穴状部６ａ側へ移動させることにより取り外すことができ、第１係合部６と第２係合部３とを着脱可能に構成したことにより再使用することができ、省資源化を図ることができる電線結束具を得ることができる。
【００２０】
この実施の形態２においても、結束シート１を上述した実施の形態１と同様の素材とすることにより、上述した実施の形態１と同様の効果を奏する。
【００２１】
また、結束シート１の一方側１ａに設けた第１係合部６のダルマ状穴周囲にその周囲以外の結束シート１の一方側１ａの厚みより厚くした補強部７を設けたことにより、第１係合部６のダルマ状穴の裂断を防止することができ、より一層強固な電線結束具を得ることができる。
【００２２】
実施の形態３．
図示しないが、この発明の実施の形態３を説明する。結束シート１の一方側１ａの第１係合部の凹状部としてメス式ボタンで構成し、結束シート１の他方側１ｂの第２係合部の凸状部としてオス式ボタンで構成し、第１係合部のメス式ボタンに第２係合部のオス式ボタンを係合させることにより、複数本の電線５を結束することができる。メス式ボタンとオス式ボタンを解除するには第２係合部のオス式ボタンを第１係合部のメス式ボタンから取り外すことにより行え、メス式ボタンとオス式ボタンとを着脱可能に構成したことにより再使用することができ、資源化を図ることができる電線結束具を得ることができる。
【００２３】
この実施の形態３においても、結束シート１を上述した各実施の形態と同様の素材とすることにより、上述した各実施の形態と同様の効果を奏する。
【００２４】
実施の形態４．
図示しないが、この発明の実施の形態４を説明する。結束シート１の一方側１ａに第１係合部を複数設け、電線５の結束数に応じた位置の第１係合部に結束シート１の他方側１ｂに設けた第２係合部を係合させることにより、一つの結束シート１により広範囲な電線結束具５の結束数に対応することができ、更に省資源化を図ることができる。
【００２５】
この実施の形態４においても、結束シート１を上述した各実施の形態と同様の素材とすることにより、上述した各実施の形態と同様の効果を奏する。
【００２６】
実施の形態５．
この発明の実施の形態５を図７および図８に基づいて説明する。１は結束シート、１ａは結束シート１の一方側、１ｂは結束シート１の他方側、２は結束シート１の一方側１ａに設けられた凹状の第１係合部であり、凹状部は円形状穴で構成されている。４は結束シート１の一方側１ａに設けた第１係合部２の円形状穴の周囲の厚みを第１係合部２の円形状穴の周囲以外の結束シート１の一方側１ａの厚みより厚くした補強部であり、第１係合部２の円形状穴の裂断を防止する。８は結束シート１の他方側１ｂに設けた第１係合部２と同じ構成の第２係合部である。そして、両係合部を例えば次のような締結具によって電線５を結束する。図８に示すように締結具は例えばファスナーを構成するプランジャー９とグロメット１０からなり、プランジャー９をグロメット１０に嵌合させて固定するようになっている。固定の仕方としては例えばプランジャー９を結束シート１の両係合部に挿通してグロメット１０に嵌合させた後、配電盤（図示せず）などの板材１１の取付部１２に装着して固定させるようにしている。プランジャー９をグロメット１０から取り外すことにより、結束シート１は再使用することができ、省資源化を図ることができる電線結束具を得ることができる。
【００２７】
この実施の形態５においても、結束シート１を上述した各実施の形態と同様の素材とすることにより、上述した各実施の形態と同様の効果を奏する。
【００２８】
また、第１係合部２の周囲に補強部４を設けており、第１係合部２の裂断を防止することができる。
【００２９】
また、第１係合部２を複数設けることにより、上述した実施の形態４と同様の効果を奏する。
【００３０】
また、図９に示すように、締結具として締付用ネジ１３とすることもでき、同様の効果を奏する。
【００３１】
実施の形態６．
この発明の実施の形態６を図１０に基づいて説明する。１は複数本の電線５を結束する結束シート、１４は結束シート１の電線５と接触しない側に設けた外からの力によって損傷しないよう外傷を防止する保護シートであり、図は一例として、結束シート１に保護シート１４を貼り合わせて一体に構成された場合を示している。なお、図示はしていないが、保護シート１４の結束シート１の第１係合部に位置する箇所に同様の係合部が形成される。
【００３２】
このように、結束シート１の外側に保護シート１４を設けたことにより、外からの力によって電線結束具の破断を防止することができ、より一層安全性に優れた電線結束具を得ることができる。また、上述した各実施の形態にも適用し得ることは勿論のことである。
【００３３】
この実施の形態６においても、結束シート１を上述した各実施の形態と同様の素材とすることにより、上述した各実施の形態と同様の効果を奏する。
【００３４】
また、保護シート１４を結束シート１と同様の素材とすることにより、結束シート１と同様の効果を奏する。
【００３５】
実施の形態７．
この発明の実施の形態７を図１１に基づいて説明する。１は結束シートであり、電線５と接触する面を波型形状部１５として構成しており、この波型形状部１５により結束シート１と電線５との密着度がより一層高まり、電線５をより強固に結束することができる。また、上述した各実施の形態にも適用し得ることは勿論のことである。
【００３６】
また、結束シート１の外側に保護シート１４を設けており、外からの力によって電線結束具の破断を防止することができ、より一層安全性に優れた電線結束具を得ることができる。
【００３７】
この実施の形態７においても、結束シート１、保護シート１４を上述した各実施の形態と同様の素材とすることにより、上述した各実施の形態と同様の効果を奏する。
【００３８】
実施の形態８．
この発明の実施の形態８を図１２に基づいて説明する。１４は保護シート、１６は電線５の絶縁被覆を保護する保護毛材であり、例えば動物繊維、植物繊維、科学繊維などで形成され、例えば保護シート１４の電線５側に位置する面、即ち、内周面に貼り合わされている。なお、図１２に示すとおり、結束シート１を介在させていないので、この場合には保護シート１４に第１係合部、第２係合部を設けることになる。
【００３９】
この保護毛材１６により電線５の絶縁被覆に傷を付けることなく結束することができ、保護シート１４により外からの力によって電線結束具の破断を防止することができ、より一層安全性に優れた電線結束具を得ることができる。
【００４０】
この実施の形態８においても、保護シート１４を上述した実施の形態６，７と同様の素材とすることにより、上述した実施の形態６，７と同様の効果を奏する。
【００４１】
また、保護シート１４と保護毛材１６との間に結束シートを介在させるようにしても良い。
【００４２】
上述した各実施の形態は一例であり、これらの実施の形態に限定されるものではない。また、配電盤制御回路のような箇所に使用される絶縁被覆が施された電線を結束する場合について述べたが、これら用途に限定されるものではない。
【図面の簡単な説明】
【００４３】
【図１】この発明の実施の形態１を示す斜視図である。
【図２】この発明の実施の形態１を示す図１のII−II線における断面図である。
【図３】この発明の実施の形態１による電線結束状態を示す斜視図である。
【図４】この発明の実施の形態１による電線結束状態の他の例を示す斜視図である。
【図５】この発明の実施の形態２を示す斜視図である。
【図６】この発明の実施の形態２による電線結束状態を示す斜視図である。
【図７】この発明の実施の形態３を示す斜視図である。
【図８】この発明の実施の形態３による電線結束状態を示す斜視図である。
【図９】この発明の実施の形態３における締結具の他の例を示す斜視図である。
【図１０】この発明の実施の形態６を示す断面図である。
【図１１】この発明の実施の形態７を示す要部斜視図である。
【図１２】この発明の実施の形態８を示す要部斜視図である。
【符号の説明】
【００４４】
１：結束シート、２：第１係合部、３：第２係合部、４：補強部、５：電線、６：第１係合部、７：補強部、８：第２係合部、１４：保護シート、１５：波型形状部、１６：保護毛材。
【図１】
2009280234.tif 000003
【図２】
2009280234.tif 000004
【図３】
2009280234.tif 000005
【図４】
2009280234.tif 000006
【図５】
2009280234.tif 000007
【図６】
2009280234.tif 000008
【図７】
2009280234.tif 000009
【図８】
2009280234.tif 000010
【図９】
2009280234.tif 000011
【図１０】
2009280234.tif 000012
【図１１】
2009280234.tif 000013
【図１２】
2009280234.tif 000014